(57)【特許請求の範囲】
【請求項１】
使用者の衣服又は服飾品に留めることができるように構成されているサスペンダークリップを設けた収納本体と、前記収納本体裏面上部から、前記収納本体表面にかけて覆う蓋部材と、前記蓋部材を前記収納本体に係止する係止手段とを少なくとも有する小物入れであって、前記収納本体と前記蓋部材とが別体に構成され、前記収納本体に取り付けられたボタンと前記蓋部材の基部に設けられたボタンホールとによって着脱自在に係止され、前記蓋部材がタオル地からなり、前記蓋部材の大きさは前記収納本体の表面を９０％以上覆う大きさとしたことを特徴とする携帯用小物入れ。
【請求項２】
前記収納本体の左右側面部下部に帯状又は紐状の留め具を係止し、前記蓋部材の先端部を差し込めるようにしたことを特徴とする請求項１に記載の携帯用小物入れ。
【請求項３】
少なくとも１個のナスカンを設けたストラップの一端を前記蓋部材にさらに係止することを特徴とする請求項１又は２に記載の携帯用小物入れ。
【発明の詳細な説明】
【技術分野】
【０００１】本発明は、着脱自在に係合される蓋部材を有する、携帯用小物入れに関するものである。
【背景技術】
【０００２】従来からハンカチを好きな位置に取り付け、ポケットティッシュと共に携帯できる多機能ポケットティッシュケース（特許文献１）および、携帯する小物の収納のための蓋のついた、携帯用小物入れ（特許文献２）があった。
【先行技術文献】
【特許文献】
【０００３】
【特許文献１】特開２００５−３２４８５８号公報
【特許文献２】登録実用新案第３１８６１９３号公報
【発明の概要】
【発明が解決しようとする課題】
【０００４】以上に述べた従来の携帯用小物入れでは、次のような問題点があった。
従来、携帯用小物入れは、手等を拭くハンカチ等においては手持ちのものを別に用意しなくてはならなかった。また、ループ等に通して携帯したハンカチは皺が寄り見栄えがよくない。また、携帯用小物入れに蓋等の覆いがついていないものにおいては収納物が見えてしまっていた。また、蓋等の覆いがついている場合でも取り外しができなかった。また、濡れた手等を拭いた後のハンカチ等は収納形態により乾きが遅くなる。また、折りたたんで収納するためかさばる。また、収納部に収納されているとすぐに使うことが出来ない。
本発明は、このような従来の問題を解決しようとするものである。
【課題を解決するための手段】
【０００５】本発明は、使用者の衣服又は服飾品に留めることができるように構成されているサスペンダークリップを設けた収納本体と、前記収納本体裏面上部から、前記収納本体表面にかけて覆う蓋部材と、前記蓋部材を前記収納本体に係止する係止手段とを少なくとも有する小物入れであって、前記収納本体と前記蓋部材とが別体に構成され、前記収納本体に取り付けられたボタンと前記蓋部材の基部に設けられたボタンホールとによって着脱自在に係止され、前記蓋部材がタオル地からなり、前記蓋部材の大きさは前記収納本体の表面を９０％以上覆う大きさとした携帯用小物入れであり、上記問題を解決することができる。
また、本発明は、前記収納本体の左右側面部下部に帯状又は紐状の留め具を係止し、前記蓋部材の先端部を差し込めるようにした携帯用小物入れ、少なくとも１個のナスカンを設けたストラップの一端を前記蓋部材にさらに係止する携帯用小物入れを包含することによっても、上記問題を解決することができる。
【発明の効果】
【０００６】本発明は、使用者の衣服又は服飾品に留めることができるように構成されている留め具を設けた収納本体と、前記収納本体裏面上部から前記収納本体表面にかけて覆う蓋部材と、前記蓋部材を収納本体に係止する係止手段とを少なくとも有する小物入れであって、前記収納本体と前記蓋部材とが別体に構成され、前記収納本体と前記蓋部材の基部とが係止手段で着脱自在に係止できるため、前記蓋部材を容易に交換でき多種多様のバリエーションの携帯用小物入れとなって使用者を満足させると共に、前記蓋部材の用途を広げることができるという優れた効果をもつものである。
【図面の簡単な説明】
【０００７】
【図１】本発明に係る蓋部材を取り付け折りたたむ前の状態の携帯用小物入れの一例についての背面概略図である。
【図２】本発明に係る蓋部材を取り付け折りたたむ前の状態の携帯用小物入れの一例についての正面概略図である。
【図３】本発明に係る携帯用小物入れに取り付けることができるストラップ本体の一例についての概略図である。
【図４】本発明に係る携帯用小物入れの収納本体の一例についての正面概略図である。
【図５】本発明に係る携帯用小物入れの収納本体の一例についての背面概略図である。
【図６】本発明に係る携帯用小物入れに取り付ける蓋部材の一例についての正面概略図である。
【図７】本発明に係る携帯用小物入れの収納本体の他の例についての正面概略図である。
【図８】本発明に係る折りたたんだ状態の携帯用小物入れの一例についての概略図である。
【図９】本発明に係る蓋部材にストラップ本体を取り付けた概略図である。
【発明を実施するための形態】
【０００８】本発明の携帯用小物入れは、使用者の衣服又は服飾品に留めることができるように構成されている留め具を設けた収納本体と、前記収納本体裏面上部から、前記収納本体表面にかけて覆う蓋部材と、前記蓋部材を前記収納本体に係止する係止手段とを少なくとも有する小物入れであって、前記収納本体と前記蓋部材とが別体に構成され、前記収納本体と前記蓋部材の基部とが係止手段で着脱自在に係止されることを特徴とする携帯用小物入れである。
以下、本発明の携帯用小物入れについて、各図によって詳細に説明する。
【０００９】前記係止手段が、前記収納本体に取り付けられたボタンと、前記蓋部材の基部に設けられたボタンホールである携帯用小物入れについてまず説明する。
図１は本発明に係る蓋部材を取り付け折りたたむ前の状態の携帯用小物入れの一例についての背面概略図である。
図１は収納本体２と蓋部材３とが別体に構成され、収納本体２の裏面上端の両端近傍に設けられた２個のボタン４と、蓋部材３の基部の両端近傍に設けられた２個のボタンホール１０により組み合わされた係止手段で着脱自在に係止されることを特徴とする携帯用小物入れ１である。
収納本体２は、ポケットティッシュやハンカチ等の小物がある程度のゆとりを持って入れられる大きさとする。
収納本体２の背面ポケット７上辺の左右２箇所に紐状留め具６にて背面ポケット７に係止されているサスペンダークリップ５を主に使い、使用者の衣服等に留めることができるように構成されている。
また、収納本体２と蓋部材３の係止された状態としては図１に示すように、収納本体２の裏面上端に設けられた一対のボタン４を蓋部材３の基部の両端に設けられた一対のボタンホール１０とをそれぞれ両端を合わせて係止し、蓋部材３を折りたたんだ状態としては、図８に示すように、蓋部材３で収納本体２の裏面上部から収納本体２の表面にかけて覆う形となっている（図８のストラップ本体１１と帯状の留め具９を除く）。
前記係止手段としてボタン４とボタンホール１０を使ったものを例示したが、係止手段は他にもマジックテープ、スナップ等も含み、ボタン４とボタンホール１０の組み合わせに限られるものではない。
蓋部材３の素材においては、蓋部材で直接濡れた手等を拭く機能を有した使い方が好ましく、吸水性の優れたタオル地にすることがなお好ましく、蓋部材３の全てがタオル地だとさらになお好ましい。タオル地は１枚仕立てでも２枚合わせでもよく、タオル地を一部使ったもの、他濡れた手等を拭ける素材であれば対象の範囲とする。蓋部材３の形状等についても図示は一例とする。
また、皺になりにくいタオル地を用い蓋部材３にすることで見栄えがよいといった利点もある。さらに蓋部材３を取り付けた状態の携帯用小物入れ１は、ハンカチ等を別に用意したり選ぶ手間を省け、また収納本体２と蓋部材３を係止手段で係止できるので落としてしまう心配も減らすことができる。
サスペンダークリップ５においては、衣服等に挟み留める開閉部分が上向きになった状態で収納本体２に取り付けられているため、使用者の衣服が引っ掛かりのないワンピースや浴衣等の際でも取り付けることができ、サスペンダークリップ５は図５に例示しているクリップの向きをはじめ容易に向きを変えることができるため使用に差し支えることなく、ウエスト部分に引っ掛かりのあるスカートやズボンにも取り付けられるので、衣服の選択の手間が減る。
さらに、サスペンダークリップ５を用いることで、従来の安全ピンを使っての装着時の心理的な恐れや衣服等の穴あき等の負担を減らすことができる。
また例えばサスペンダークリップ５は、紐状留め具６を使い収納本体２の背面ポケット７の上辺に縫いつけているためサスペンダークリップ５をなくす心配が減る。
背面ポケット７においては、図１に示したとおり、ボタン４とボタンホール１０を係止する際にサスペンダークリップ５を邪魔せず、かつ、サスペンダークリップ５で衣服等に取り付ける際等に問題のない範囲に取り付けている。
図１の背面ポケット７の形状や開口部は一例とし、例えば開口部においてはファスナー等でも問題ない。
ボタンホール１０においては、ボタン４に合わせて問題なく係止できる大きさとする。また、蓋部材３の基部の両端近傍にボタンホール１０を設けることで、収納本体２に蓋部材３を取り付ける際、サスペンダークリップ５に蓋部材３の基部が覆いかぶさる等の無駄が生じることなく好ましい位置としている。
なお蓋部材３の基部とは図１に示すように、係止手段によって係止する側を指し、反対側の係止手段を伴わない側を先端部としている。
【００１０】図２は本発明に係る蓋部材を取り付け折りたたむ前の状態の携帯用小物入れの一例についての正面概略図である。
図２に示すように、係止されたボタン４やボタンホール１０、およびボタン４の縫い目はこの図の状態のように表からは見えない構造になっている。
収納本体２の開口部は、収納物が落ちる心配を減らすこと、濡れた蓋部材３の水分の侵入を減らすこと等の理由によりファスナーが好ましい。
【００１１】図３は本発明に係る携帯用小物入れに取り付けることができるストラップ本体の一例についての概略図である。
例えば、ストラップ本体１１には少なくとも１個のナスカン１２を設けており、ナスカン１２の数は１個に限られるものではなく、図３、図７、図８、図９に示したように、紐部１３の両端にナスカン１２が２個ついている状態で説明をする。
図３では、ストラップ本体１１の紐部１３の両端にそれぞれナスカン１２がついており、一方のナスカン１２を携帯用小物入れ１に係止し、他方のナスカン１２にて使用者の衣服やバッグ等服飾品に留めたり等、サスペンダークリップ５で留める方法だけでなくストラップ本体１１も併用することによって用途を更に広げることができる。
図３では一方のナスカン１２を他方のナスカン１２よりも小さくしているが、これは重さを少しでも軽減させ身体等への負担を減らすためであり、ナスカン１２の大きさは使用状況に応じ適宜変更することができる。
ストラップ本体１１は１本に限らず２本以上を携帯用小物入れ１に取り付けることも可能である。
ストラップ本体１１の長さは、装着物とのバランスから１５ｃｍ〜３０ｃｍ程度が好ましく、２０ｃｍ〜２５ｃｍ程度がより好ましい。
係止手段においては着脱自在なナスカン１２による係止が好ましく、サイズ、色、材質は公知の物を用いることとする。また、ナスカン１２に限らず公知の係合手段を採用できるものとする。
ストラップ本体１１の紐部１３の素材においては使用上柔らかい布地がよく、また図示の紐部１３は１本状としたが輪状になっていてもよい。
【００１２】図４は本発明に係る携帯用小物入れの収納本体の一例についての正面概略図である。
図４に示すように、収納本体２の表面にあるファスナー８付きのポケットと、他に図５に示した背面ポケット７の計２つのポケットの構成により小物を仕分けして収納することができる。
収納本体２の素材においては、張りのある帆布等の素材であれば型崩れが少なく見た目に好ましい。ファスナー８付きのポケットはコンシールファスナーだと収納本体２の表面から見て目立たず見た目にすっきりとし好ましいが、ファスナー８の種類においては公知の物で差し支えない。
ファスナー８付きのポケットにすることで落としたくないものをしっかりと守れる。
また、ファスナー８付きのポケットにすることで、蓋部材３を取り付けた際に手等を拭いて濡れた蓋部材３の水分が収納本体２の内部まで侵入しにくくさせる効果もある。
ファスナー８は図４に示す位置が製作上およびポケットの有効利用上使い勝手がよいが、これに限られるものではない。
【００１３】図５は本発明に係る携帯用小物入れの収納本体の一例についての背面概略図である。
図５に示すように、収納本体２の背面ポケット７上辺の左右２箇所に紐状留め具６で背面ポケット７に係止されているサスペンダークリップ５を使い、衣服等に留めることができるように構成されている。サスペンダークリップ５は図５に示したように所定の間隔だけを離して一対つけるのが望ましい。
図５に示すように、サスペンダークリップ５の開閉部分が各々内側横向きになっている状態は、図１に示したように開閉部分が上方向の状態から容易に向きを変えることができ、形状の異なる衣服でも容易に取り付けることができる。
また、収納本体２の裏面上端についた一対のボタン４については、収納本体２のみで使う際は特に使用しないため、収納本体２の裏面に配置することにより表面からは見えなくしている。
サスペンダークリップ５を使用しない時は、図５に示すようにサスペンダークリップ５の開閉部分が各々内側横向きにした状態で背面ポケット７上辺に挟み留めておくこともできるため安定するとともに邪魔にならない。
サスペンダークリップ５と背面ポケット７を繋ぐ紐状留め具６は柔らかい布地又は柔らかい紐等を用いることでサスペンダークリップ５がよりしなやかに動かしやすくなる。
【００１４】図６は本発明に係る携帯用小物入れに取り付ける蓋部材の一例についての正面概略図である。
すなわち、図６では、ボタンホール１０が蓋部材３の基部の両端部近傍に２個設けられているものである。
また、一例として蓋部材３の素材は、タオル地にすれば手等を直接蓋部材３で拭くことができ柔らかく吸水性に優れ好ましい。また、タオル地だと皺になりにくいため蓋部材３を収納本体２と係止させて使用する際の意匠性がよい。
蓋部材３のタオル地は、表面と裏面とを２枚のタオル地を組み合わせる形が最も好ましいが、１枚のタオル地でも、別の素材の組み合わせ等でも濡れた手等が拭けるハンカチや手ぬぐいの素材であってもよい。
また、蓋部材３を２枚のタオル地を組み合わせる形にした場合の一例として、蓋部材３の表面、裏面をリバーシブルとすることができ、さらに蓋部材３の表面と裏面の絵柄等を異なるものにすれば好みの面を見える側に設定することができ、装飾性を向上させることができる。
また、収納本体２に蓋部材３を取り付けて使用する際、タオル地でできた蓋部材３にすれば、ハンカチ等の収納物を１つ減らすことができる役目も果たせる。さらに蓋部材３のみ単体で使用したり、蓋部材３をたたんで収納本体２に入れておくこともできる。
蓋部材３の大きさにおいては、図８に示すように収納本体２の表面を９０％以上覆う程度の大きさが好ましく、その大きさは手を拭く時の許容範囲とする。
蓋部材３の係止手段については、手を拭く際に引っ掛かりを少なくすることが危険回避になるため、ボタンホール１０を用いることが最も好ましいがこれに限られるものではない。
図６は蓋部材３が１枚のものを例示しているが、複数枚あれば洗い替えの対応が容易にでき利便性が向上する。
さらに蓋部材３の表面と裏面で絵柄等の異なる蓋部材にした場合においては、新しい柄の組み合わせに係る多種多様なバリエーションの携帯用小物入れ１にすることができる。
【００１５】図７は本発明に係る携帯用小物入れの収納本体の他の例についての正面概略図である。
図７は、図４に示した収納本体２に帯状の留め具９とストラップ本体１１をつけたものである。ストラップ本体１１の取り付けは、例えば図１に示すように、紐状留め具６の一方にストラップ本体１１の一方のナスカン１２を使って係止している。
収納本体２に帯状の留め具９をつけることによりワンポイントとなり意匠性が加わるとともに、図８に示したように、収納本体２に蓋部材３を取り付けた際に蓋部材３の先端部を帯状の留め具９に挟み込めば風等による蓋部材３のめくれ防止となり実用性がある。帯状の留め具９については収納本体２についていることが最も好ましいが、蓋部材３についていてもよい。
帯状の留め具９とすることで、蓋部材３の先端部の差し込みと引き抜きを容易に行うことができる。
このように帯状の留め具９とするのが最も好ましいが、例えばゴムによる伸縮等の機能が加わったりすることや紐状の留め具にする等、他の係止手段でもよい。この場合においても、帯状の留め具９はワンポイントとなり意匠性が加わる。
ただし、携帯用小物入れ１を逆さにする等がない状況や風が吹いていない時等の使用であれば、帯状の留め具９に蓋部材３の先端部を差し込まなくとも装飾性、機能性ともになんら問題はない。
収納本体２にストラップ本体１１を取り付けることで、サスペンダークリップ５を用いて使用者の衣服等に装着する方法だけでなく、ストラップ本体１１を使用してバッグの持ち手に巻き付けて使える等、使い方がより広くなりさらに便利になる。
さらに詳しく、収納本体２の一方の紐状留め具６にストラップ本体１１の一方のナスカン１２を係止した状態での便利な使用例を２点挙げる。
１点目は、ストラップ本体１１をバッグの持ち手に巻き付けて他方のナスカン１２で収納本体２の他方の紐状留め具６に係止すれば、バッグの外側及び内側どちらでも携帯用小物入れ１がつけられハンカチやティッシュ、電車のカード等を入れてより便利に使うことができる。さらにこの時サスペンダークリップ５は未使用であるため、このサスペンダークリップ５にはバッグに入りきらない大きな帽子等を挟み留めておく等の使い方ができる。
２点目は、使用者の衣服にサスペンダークリップ５で装着したまま、ストラップ本体１１の他方のナスカン１２に自転車の鍵等を一時保管としてつけておくことができる。この場合は、収納本体２に係止されたストラップ本体１１をそのまま背面ポケット７に入れることもでき、より安心である。
【００１６】図８は本発明に係る折りたたんだ状態の携帯用小物入れの一例についての概略図である。
図８に示すように、収納本体２に蓋部材３、帯状の留め具９、ストラップ本体１１を取り付けているところである。
この形態によれば、例えば収納本体２にタオル地の蓋部材３を取り付けた場合の蓋部材は、覆う役割としてだけでなくハンカチ等で手等を拭く用途を兼ねることができることで収納物を減らせ、重みによる身体への負担を減らすことができる。
また、蓋部材３を収納本体２に係止する際は蓋部材３は全て広がった形状となっており蓋部材３が濡れている場合に乾きやすい利点もある。
また、収納本体２に帯状の留め具９を取り付けたことで意匠性の向上と風等でのめくれ防止になり実用性がある。
この図の状態によれば図７で前述したように、収納本体２にストラップ本体１１を組み合わせたことにより、使用者の衣服等にサスペンダークリップ５で留め付けるだけでなく、ストラップ本体１１が係止手段となり機能がさらに広がる。
総じて、図８に示すように、収納本体２に蓋部材３を取り付け、さらに帯状の留め具９、さらにまたストラップ本体１１を取り付けた携帯用小物入れ１が利便性が高くより好ましい。
【００１７】図９は本発明に係る蓋部材にストラップ本体を取り付けた概略図である。
このような本発明の携帯用小物入れによれば、例えば図８に示すように、収納本体２に係止されたタオル地でできた蓋部材３とストラップ本体１１を係止する際、ストラップ本体１１の一方のナスカンを使ってタオル地でできた蓋部材３の一方のボタンホール１０に係止しておけば、収納本体２から蓋部材３を外す際には図９に示すように、ストラップ本体１１が付帯した状態の蓋部材３となる。
この図の状態であれば、濡れた蓋部材３を早く乾かしたい時や収納本体２に濡れた蓋部材３を密着させたくない時等、ストラップ本体１１を使って別の場所で乾かす等で係止させたい時に有効活用ができる。
また、一例としてストラップ本体１１の一方のナスカン１２を蓋部材３の一方のボタンホール１０に係止し、ストラップ本体１１の他方のナスカン１２を蓋部材３の他方のボタンホールに係止すれば手提げバッグの持ち手のようになり突起物等に引っ掛けておくことができる。
蓋部材３のボタンホール１０にストラップ本体１１を取り付ける方法としては、ボタンホール１０に係止させる方法の他に、蓋部材３に輪上の紐等の留め具を設けそこにナスカン１２を留めたり、あらかじめ蓋部材３にストラップ本体を縫い付けておく等の方法もあり、また、ストラップ本体１１の紐部１３においては、一本状でも輪状でもよく、これらは状況に応じて種々の形態を適用することができる。
【符号の説明】
【００１８】１    携帯用小物入れ
２    収納本体
３    蓋部材
４    ボタン
５    サスペンダークリップ
６    紐状留め具
７    背面ポケット
８    ファスナー
９    帯状の留め具
１０  ボタンホール
１１  ストラップ本体
１２  ナスカン
１３  紐部
【要約】
【課題】本発明は例えば携帯用小物入れの構造に関し、使い勝手が良く意匠的に優れた携帯用小物入れを提供することが課題である。
【解決手段】使用者の衣服又は服飾品に留めることができるように構成されている留め具を設けた収納本体と、前記収納本体裏面上部から、前記収納本体表面にかけて覆う蓋部材と、前記蓋部材を前記収納本体に係止する係止手段とを少なくとも有する小物入れであって、前記収納本体と前記蓋部材とが別体に構成され、前記収納本体と前記蓋部材の基部とが係止手段で着脱自在に係止されることを特徴とする携帯用小物入れを提供することにある。
【選択図】図８【図１】
0005981597.tif 000002
【図２】
0005981597.tif 000003
【図３】
0005981597.tif 000004
【図４】
0005981597.tif 000005
【図５】
0005981597.tif 000006
【図６】
0005981597.tif 000007
【図７】
0005981597.tif 000008
【図８】
0005981597.tif 000009
【図９】
0005981597.tif 000010